(57)【特許請求の範囲】
【請求項１】
容器を密閉する蓋体であって、
外縁に延出する円周リムを有する蓋部を備え、
前記円周リムは、前記容器の縁に嵌合するように構成され、
前記円周リムは、隆起した環状内側壁及び隆起した環状外側壁を備え、
前記環状外側壁は、前記環状内側壁に略平行に対向して前記環状内側壁の周りに延設され、
前記環状外側壁及び前記環状内側壁は、環状頂壁によって接続され、
前記環状頂壁は、前記環状外側壁及び前記環状内側壁に対して略垂直であり、
前記隆起した環状内側壁、前記隆起した環状外側壁及び前記環状頂壁の組合せによって、それらの間に溝部が形成され、
前記環状頂壁は、前記環状頂壁の表面に沿って配置される複数の反転ディンプルを含み、
前記環状頂壁の前記反転ディンプルは、前記溝部内で下向きに突出し、
前記下向きに突出した反転ディンプルは、前記蓋体が前記容器に被せられるとき、容器の縁と係合するように、少なくとも部分的には前記溝部に取り囲まれていることを特徴とする蓋体。
【請求項２】
前記複数の反転ディンプルの底部分が前記容器の縁と連接していることを特徴とする請求項１に記載の蓋体。
【請求項３】
前記複数の反転ディンプルの少なくとも一つは、前記蓋体が前記容器の縁に装着されるとき、少なくとも一つの反転ディンプルの両側に下向きに付与される力に従って、逆転し、前記環状頂壁を越えて上向きに突出して起立の位置となることを特徴とする請求項１又は２に記載の蓋体。
【請求項４】
前記複数の反転ディンプルは、前記蓋体が前記容器の縁にしっかりと装着されるとき、逆転し、前記環状頂壁を越えて上向きに突出して起立の位置となることを特徴とする請求項１乃至３の何れか１項に記載の蓋体。
【請求項５】
前記環状頂壁は、４つの反転ディンプルを含むことを特徴とする請求項１乃至４の何れか１項に記載の蓋体。
【請求項６】
前記反転ディンプルの両側に押下部が配置されることを特徴とする請求項１乃至５の何れか１項に記載の蓋体。
【請求項７】
前記起立した反転ディンプルは、前記環状頂壁を越えて突出することを特徴とする請求項４に記載の蓋体。
【請求項８】
前記押下部は、刻み模様を含むように設けられることを特徴とする請求項６に記載の蓋体。
【請求項９】
容器を密閉するための蓋体であって、
外縁に延出する円周リムを含んだ蓋部を備え、
前記円周リムは、前記容器の縁に嵌合するように構成され、
前記円周リムは、隆起した環状内側壁及び隆起した環状外側壁を備え、
前記環状外側壁は、前記環状内側壁に略平行に対向して前記環状内側壁の周りに延設され、
前記環状外側壁及び前記環状内側壁は、環状頂壁によって接続され、
前記環状頂壁は、前記環状外側壁及び前記環状内側壁に対して略垂直であり、
前記隆起した環状内側壁、前記隆起した環状外側壁及び前記環状頂壁の組合せによって、それらの間に溝部が形成され、
前記環状頂壁は、前記環状頂壁の表面に沿って配置される複数の支持台に個別に取付けられた複数の反転ディンプル含み、
前記反転ディンプルのそれぞれは、前記蓋体が前記容器に被せられるとき、容器の縁に係合するように前記支持台のそれぞれの空洞内で下向きに突出することを特徴とする蓋体。
【請求項１０】
前記反転ディンプルのそれぞれの底部分は、前記容器の縁と連接していることを特徴とする請求項９に記載の蓋体。
【請求項１１】
前記複数の反転ディンプルの少なくとも一つは、前記蓋体を前記容器の縁に装着させる下向きに付加される力に従って、逆転し、支持台の頂点を越えて上向きに突出して起立の位置となることを特徴とする請求項９又は１０に記載の蓋体。
【請求項１２】
前記複数の反転ディンプルは、前記蓋体が前記容器の縁にしっかりと装着されるとき、逆転し、前記支持台を越えて上向きに突出して起立の位置となることを特徴とする請求項９乃至１１の何れか１項に記載の蓋体。
【請求項１３】
前記支持台のそれぞれは、陥没した空洞を囲う複数の起立するパネルを備え、
前記パネルが、前記環状頂壁から上向きに突出し、反転ディンプルを前記支持台の空洞内に留めるための取付構造を形成するように合わさることを特徴とする請求項９乃至１２の何れか１項に記載の蓋体。
【請求項１４】
前記環状頂壁は、４つの支持台に個別に設けられた４つの凹んだ反転ディンプルを含むことを特徴とする請求項９乃至１３の何れか１項に記載の蓋体。
【請求項１５】
前記起立した反転ディンプルは、前記環状頂壁を越えて突出することを特徴とする請求項１２に記載の蓋体。
【請求項１６】
容器を密閉するための蓋体であって、
外縁に延出する円周リムを含んだ蓋部を備え、
前記円周リムは、前記容器の縁に嵌合するように構成され、
前記円周リムは、隆起した環状内側壁及び隆起した環状外側壁を備え、
前記環状外側壁は、前記環状内側壁に略平行に対向して前記環状内側壁の周りに延設され、
前記環状外側壁及び前記環状内側壁は、環状頂壁によって接続され、
前記環状頂壁は、前記環状外側壁及び前記環状内側壁に対して略垂直であり、
前記隆起した環状内側壁、前記隆起した環状外側壁及び前記環状頂壁の組合せによって、それらの間に溝部が形成され、
前記環状頂壁は、前記環状頂壁の表面に沿って配置される複数の支持台を含み、
前記支持台は、前記複数の支持台のそれぞれに個別に設けられるディンプル含み、
前記ディンプルのそれぞれは、前記支持台の空洞内で埋め込みの位置を占めることを特徴とする蓋体。
【請求項１７】
前記複数の埋め込みのディンプルの底部は、前記容器の縁と連接していることを特徴とする請求項１６に記載の蓋体。
【請求項１８】
前記複数の埋め込みのディンプルは、前記蓋体が前記容器の縁にしっかりと装着されるとき、前記支持台のそれぞれの頂点を越えて起立の位置になることを特徴とする請求項１６又は１７に記載の蓋体。
【請求項１９】
請求項１乃至１８の何れか１項に記載の蓋体を製造する方法であって、前記蓋体を雌型の鋳型を用いて製造することを特徴とする蓋体の製造方法。
【請求項２０】
蓋体を容器に装着する方法であって、
容器用の蓋体を提供するステップを含み、
蓋部が外縁に延出する円周リムを含み、前記円周リムが前記容器の縁に嵌合するように構成され、前記円周リムが隆起した環状内側壁及び隆起した環状外側壁を備え、前記環状外側壁が前記環状内側壁に略平行に対向して前記環状内側壁の周りに延設され、前記環状外側壁及び前記環状内側壁は、環状頂壁によって接続され、前記環状頂壁は、前記環状外側壁及び前記環状内側壁に対して略垂直であり、前記隆起した環状内側壁、前記隆起した環状外側壁及び前記環状頂壁の組合せによって、それらの間に溝部が形成され、前記環状頂壁が、前記環状頂壁の表面に沿って配置される複数の反転ディンプルを含み、前記環状頂壁の反転ディンプルが、前記溝部内で下向きに突出し、少なくとも部分的には容器の縁に係合するように前記溝部内に取り囲まれるものであり、
前記蓋体を前記容器の縁に被せて、前記反転ディンプルを前記容器の縁に連接するステップを含み、
前記反転ディンプルが逆転し、前記環状頂壁を越えて上向きに突出して起立の位置になるまで、前記反転ディンプルのそれぞれの両側に下向きの力を付加するステップを含むことを特徴とする蓋体の装着方法。
【発明の詳細な説明】
【技術分野】
【０００１】
本開示は、一般に、容器用の蓋体に関する。特に、本発明は、容器の蓋体における蓋部の標示手段（indicator）に向けられており、かかる蓋部の標示手段は、蓋体の環状の外縁の頂壁に沿って配置される複数の反転ディンプル（inverted dimples）を有する。反転ディンプルは、蓋体の環状外縁の頂壁が容器の縁に嵌合するとき、逆転し、外向きに突出する。外向きに突出したディンプルは、このようにして、蓋体が容器の縁に密着し、そこでしっかりと固定されたか否かを確認する手段として機能するのである。
【０００２】
[関連出願の相互参照]
本出願は２０１１年４月２９日に出願された米国仮出願６１／４８０，６２４号の利益を主張するものであり、その開示の全内容は参照により本明細書に組み込まれる。
【背景技術】
【０００３】
当該技術分野で知られている蓋体は、飲料容器の上縁に締結される環状リムを含む。しかしながら、従来の蓋体は、慌てて嵌めた場合、又は容器が曲がっている場合、環状リムの縁と容器の上縁との間にわずかな隙間又は公差を含みやすいという点で、多くの場合不完全である。使用者が飲料容器を取り上げ、その容器から液体を飲もうと試みたとき、蓋体が容器から外れることがあり、液こぼれが発生する虞がある。また、蓋体が飲料容器にしっかりと固定されているかどうかについて、迅速かつ正確に評価することは大抵の場合困難である。さらに、使用者がうっかり容器を落としてしまったとき、上縁とリムとの間の隙間ないし公差によって、蓋体が容器から完全に外れてしまうことが起こりうるのであり、その結果、その場所に中身がこぼれることとなる。
【０００４】
このように、当該技術分野において知られている蓋体は、飲料容器の上縁との十分な密閉ないし締結の構造を達成できず、それゆえ、偶発的な液こぼれ、液漏れを生じさせる傾向がある。
【発明の概要】
【発明が解決しようとする課題】
【０００５】
飲料又は食品格納容器の内容物の偶発的な液漏れ又は液こぼれを防止するために、触覚ならびに視覚を介して蓋体の適切な閉鎖を確かめるための手段を備えることが望ましい。
【課題を解決するための手段】
【０００６】
本発明に従えば、容器用の蓋体は、複数の反転ディンプル（inverted dimples）を含む、容器の縁への固定のための容器蓋部を備える。ディンプル（dimples）は、本明細書において、窪み（depressions）又は凹み（dents）として定義される。好ましい実施形態では、蓋体の容器蓋部（container closure）の部分は、容器蓋部の外縁（periphery）に延出する円周リム（circumferential rim）を含んだ円盤状部材を備える。円盤状部材の外縁の円周リムは、飲料容器の縁と嵌合して、そこで封着構造を形成する。円周リムは、環状外側壁及び環状内側壁を含み、外側壁及び内側壁を相互に接続する。外側壁は内側壁に対向して配置され、頂壁へと続く。一実施形態では、複数の反転ディンプルが環状頂壁の表面に配置される。好ましい実施形態では、４つの反転ディンプルが蓋体の環状頂壁の四分円のそれぞれに配置される。他の実施形態では、ディンプルのそれぞれが支持台の上部に取付けられる。好ましい実施形態では、支持台は、頂点でディンプルの支持を形成するように突出する複数の隆起した表面を含む。
【０００７】
反転ディンプルの底部は、蓋体が容器の縁の上に被せられるとき、容器の縁と接触する。凹んだディンプル（indented dimples）の両側に沿った環状頂壁に付与された下向きの力は、反転ディンプルを逆転させ環状頂壁の表面を越えて外向きに突出させることとなる。
【０００８】
一実施形態では、押下部（pressure points）を表示するために、目印（markings）又は刻み模様（etchings）を各ディンプルの両側に設けることができる。押下部は、本明細書において、環状頂壁の一部（すなわち、ディンプルに近接し、指による圧力の付加を受けやすい部分）を含むように定義される。容器に対する蓋体の確実な嵌め合いは、反転ディンプルを飛び出させ、外向きに突出させる要因となる下向きの力を押下部に付与することによって、達成することができる。蓋体が容器にしっかりと装着されるとき、すべてのディンプルは、外向きに突出した起立の状態となり、確実に密閉されたことの視覚的及び触覚的な確認を提供するものとなる。
【０００９】
このように、蓋体が縁に固定されるとき、容器に対する蓋体の目視検査が容易となり、容器に連結され、締結した蓋体の構造的一体性を評価することができる。一本又は二本の指で環状頂壁をなぞると、使用者は、外向きに突出したディンプルの最頂部上部に触れることができる。このように、外向きに突出したディンプルは、蓋体が確実に装着されたことの触覚的ならびに視覚的な確認を提供するのに役立つだろう。
【００１０】
本発明の一つの目的は、容器用の蓋体の頂壁に沿って配置された複数の反転ディンプルを提供することである。
【００１１】
本発明のもう一つの目的は、蓋体の四分円のそれぞれに反転ディンプルを有する蓋体を提供することである。
【００１２】
本発明のさらにもう一つの目的は、４つの反転ディンプルであって、蓋体の容器蓋部に沿って等間隔に配置されたものを有する蓋体を提供することである。
【００１３】
本発明の一つの目的は、蓋体の環状頂壁に沿って配置された複数の支持台を有する蓋体を提供することであり、ディンプルは、その支持台のそれぞれの頂点に取付けられる。
【００１４】
本発明のもう一つの目的は、容器用の蓋体の頂壁に沿って配置された４つの反転ディンプルを有する蓋体を提供することであり、かかる反転ディンプルは、蓋体が容器の縁にしっかりと固定されるとき、逆転し、蓋体の頂壁を越えて外向きに突出する。一本又は二本の指で環状頂壁をなぞると、使用者は、外向きに突出したディンプルの最頂部上部に触れることができ、その一方で、外向きに突出したディンプルは、蓋体が確実に装着されたことの視覚的な確認を提供するものともなる。
【００１５】
したがって、本発明の主な目的は、偶発的な液漏れや液こぼれに伴うリスクを最小限に抑えるため、蓋体が容器の縁にしっかりと装着又固定されていることを確認する視覚的及び触覚的な手段を持ちうる蓋体を提供することである。
【００１６】
本発明の一つの目的は、蓋体が容器の縁に装着されるとき、蓋体の頂壁の反転ディンプルが容易に逆転し、外向きに突出すように、柔軟で変形可能な材料で製造された蓋体を提供することである。
【００１７】
蓋体を製造する材料は柔軟で変形可能であり、かかるディンプルの構成からして、反転ディンプルの先端が容器の縁と嵌合するとき、ディンプルは、容易に逆転し、外向きに突出するのである。逆に、蓋体が容器から外れると、ディンプルは、当初の反転位置に戻ってもよい。
【００１８】
使用される意匠、樹脂、プラスチックポリマー、器具、製造方法及び／又は成形方法の種類に応じて、ディンプルは、一旦、蓋体が縁から持ち上がると、反転状態に戻ることができるように企図してもよい。
【００１９】
本発明のさらにもう一つの目的は、雌型の空洞の鋳型を使用して製造される蓋体を提供することである。蓋体がカップに被せられるとき、ディンプルが飛び出し、次いで、蓋体が外れた後は、再度、反転位置に引っ込むのに十分なほど、プラスチック材料を薄く、かつ、柔らかいものとするためである。
【００２０】
本発明の概要は、以下の明細書及び図面の詳しい説明によって容易に明らかになるであろう。
【図面の簡単な説明】
【００２１】
【図１】蓋体の上面図であり、反転位置にあるディンプルを図示する。
【図２】容器にしっかりと装着された蓋体の側面斜視図であり、ディンプルがアクティブとなって上向きに突出し、飛び出した起立の位置にあることを図示する。
【図３】蓋体の底面図であり、ディンプルは非アクティブであって反転位置にある。
【図４】蓋体の実施形態の部分図であり、アクティブとなって飛び出した起立の位置にあるディンプルの両側における目印の付けられた押下部を図示する。
【図５】蓋体の別の実施形態の背面斜視図であり、埋め込みのディンプルは支持台に取付けられている。
【図５Ａ】図５の５Ａ部分の部分図であり、ディンプルは埋め込みの位置にあって支持台に取付けられている。
【図５Ｂ】図５Ａの線５Ｂ−５Ｂに沿って切り取った断面図であり、さらに容器の縁に被せられているが、しっかりとは装着されていない蓋体を図示する。
【図５Ｃ】図５Ａの５Ａ部分の部分図であり、埋め込みのディンプルは起立の位置にあって支持台に取付けられている。
【図６】蓋体の側面図であり、非アクティブのディンプルは反転位置にある。
【図６Ａ】図６の６Ａ部分の部分図であり、蓋体の反転ディンプルが容器の縁に接触していることを図示する。
【図７】蓋体の側面図であり、ディンプルはアクティブとなって飛び出した位置にある。
【図７Ａ】図７の７Ａ部分の部分図であり、蓋体が容器の縁にしっかりと装着されるとき、ディンプルがアクティブになって飛び出した起立の位置にあることを図示する。
【発明を実施するための形態】
【００２２】
以下に記載の内容は、当業者によって容易に理解されるように、使い捨ての飲料用カップだけでなく、コーヒー、茶、炭酸飲料用の、発泡スチロール、分解性プラスチック又はポリマー材料、熱可塑性、紙からなる容器、又は他の適当な材料からなる容器を含むあらゆる形態の容器に適用することができる。したがって、本開示は、本発明の例示的な実施形態において記載された特定の容器の装置器具又は構成に限定されるものではない。また、本発明は、使い捨てでない飲料容器を含むが、これに限定されず、他の形態の容器、例えば、真空密閉された携帯用のコーヒーカップ、食品格納容器などにも適用可能であると理解されたい。
【００２３】
ここで図１乃至図７Ａで参照されるように、本発明は、符号１０で示される蓋体である。蓋体１０は、ＰＥＴ、ＰＥＴＲ、ポリプロピレン、ポリスチレン、ポリエチレン、耐衝撃性ポリスチレン又は他の適当な材料などのリサイクル可能な材料で構成してもよい。蓋体の材料は、柔軟で変形可能なプラスチック材料であることが好ましい。蓋体１０は、容器蓋部１２を含む。容器蓋部１２は、成形可能な又は押し出しの材料から製造される円盤状部材であることが好ましく、容器蓋部１２の外縁に延出する円周リム１４を含むことが好ましい。外縁の円周リム１４は、容器４２の縁４０とそこで封着して嵌合する。
【００２４】
円周リム１４は、環状外側壁２０、環状内側壁２２及び環状頂壁２４を含み、環状頂壁は、容器４２の縁４０と嵌合するために、外側壁及び内側壁と相互に接続する。外側壁２０は、内側壁２２に対向して配置され、頂壁２４に連続する。一実施形態では、複数の反転ディンプル３０は、蓋体１０が容器４２の縁４０に係合する前においては、反転ディンプル３０の最頂部３２が容器４２の縁４０の方に向くように環状頂壁２４に沿って配置される。
【００２５】
好ましい実施形態では、４つの等間隔の反転ディンプル３０が、蓋体１０の四分円のそれぞれに配置される。反転ディンプル３０の最頂部３２は、蓋体１０が縁４０にしっかりと装着されるとき、最頂部３２が容器４２の縁４０から離れる方に向くように、逆転し、外向きに突出する。起立したディンプル３１の最頂部３２は、横又は斜め上から観たときに起立したディンプル３１の最頂部３２が視覚的に観察されうるように、頂壁２４の表面を越えて外向きに突出する。起立したディンプル３１の様子で、蓋体１０が容器４２の縁４０に正しく固定又は嵌合されたことを確認できる。起立したディンプル３１の最頂部３２はまた、頂壁２４の表面に沿って指でなぞることによって触覚的に知覚できる。起立したディンプル３１は、概ね半楕円の形状であるが、半球形、三角形、長方形、正方形、又はその他の任意の適当な幾何学的形状又はサイズとしてもよい。
【００２６】
環状外側壁２０は、環状内側壁２２の周りに延出する。環状外側壁２０は、環状内側壁２２に対向し、概ね平行である。環状壁２０及び２２は、壁２０及び２２に対して概ね垂直な環状頂壁２４によって相互に接続されている。図示のように、ディンプル３０、３１は、環状頂壁２４に沿って配置される。
【００２７】
環状頂壁２４に沿って隆起した環状内側壁２２及び隆起した環状外側壁２０は、蓋体１０の外縁に延出し、その間に溝部２８を形成する。溝部２８は、容器４２の縁４０にぴったり嵌る大きさであることが好ましい。
【００２８】
反転ディンプル３０は、蓋体１０が容器４２の縁４０に被せられるまでずっと、その位置に留まる。蓋体１０が容器４２の縁４０に被せられるとき、反転ディンプル３０の最頂部３２は、容器４２の縁４０に連接する。環状頂壁２４に生じた下向きの圧力は、反転ディンプル３０の最頂部３２を逆転させ、外向きに突出させ、起立の位置にする。そのため、ディンプル３１は、視覚的又は触覚的な手段によって知覚可能となる。
【００２９】
反転ディンプル３０の最頂部３２は、環状頂壁２４の表面の下へと延出し、少なくとも部分的には溝部２８内に取り囲まれている。蓋体１０と縁４０とを装着するために、蓋体１０が容器４２の縁４０に被せられるとき、ディンプル３０の最頂部３２は、容器４２の縁４０に接触する。蓋体１０の上部に指による圧力が加えられると、反転ディンプル３０の最頂部３２が逆転し、蓋体１０の頂壁２４を越えて外向きに飛び出して突出し、それによって、蓋体１０が容器４２の縁４０にしっかりと装着されたことの触覚的及び視覚的確認を与えるのである。
【００３０】
別の実施形態では、埋め込みのディンプル（recessed dimple）３３が、支持台５０に取付けられ、支持台５０の空洞５６内に配置される。埋め込みのディンプル３３は、蓋体１０が容器４２の縁４０にしっかりと装着されるとき、支持台５０の頂点５４を超えて起立する。好ましい実施形態では、支持台５０は、頂点５４で埋め込みのディンプル３３の支持を形成するように突出する複数の起立したパネル５２を含む。
【００３１】
さらに別の実施形態では、反転ディンプル３０が、支持台５０に取り付けられ、支持台５０の空洞５６内に配置される。反転ディンプル３０は、蓋体１０が容器４２の縁４０に装着されるとき、逆転し、外向きに突出し、支持台５０の頂点５４を超えて起立の位置３１となる。
【００３２】
したがって、このようにして、蓋体１０が縁４０に固定されるとき、容器４２に対する蓋体１０の目視検査が容易となり、容器４２と連結して締結された蓋体１０の構造的信頼性を評価できるのである。なお、蓋体１０における容器４２の縁４０について目視検査が容易であり、蓋体の構造的信頼性が維持される限り、ディンプル３０、３１については、いずれの数量、大きさ及び構成を含んでもよい。好ましい実施形態では、４つのディンプル３０、３１、３３が等間隔で蓋体１０の四分円のそれぞれに存在する。ディンプル３０、３１、３３について正確な間隔と数量は変更してもよい。蓋体１０及びディンプル３０、３１、３３については種々の構成が可能であり、本開示の範囲内である。ディンプル３０、３１、３３及び蓋体１０が、蓋体１０と容器の種類に応じて、種々の直径と高さを含みうることを当業者なら理解するであろう。
【００３３】
ここで、特に図１を参照すると、蓋体１０の上面が示されており、反転位置にあるディンプル３０が示されている。蓋体１０の主な構成として、外縁に延出するリム１４を有する蓋部１２、環状内側壁２２の周りに延設される環状外側壁２０を含む。環状壁２０及び２２は、環状頂壁２４によって接続される。ディンプル３０が環状頂壁２４に沿って配置される。図１に示すように、ディンプル３０は、蓋体１０の四分円のそれぞれに存在する。環状内側壁２２及び環状外側壁２０は、環状頂壁２４によって接続される。
【００３４】
次に、図２を参照すると、容器４２の縁４０（図示しない）にしっかりと装着された蓋体１０の側面斜視図が示されており、ディンプル３１がアクティブとなって上向きに突出し、最頂部３２が飛び出した起立の位置になる。起立したディンプル３１は、側面から蓋体を観ることによって視覚的に知覚できるか、又は環状頂壁２４の表面にそって指でなぞることによって知覚できる。起立したディンプル３１は、上面から視覚的に知覚できるか、又は環状頂壁２４の表面にそって指でなぞることによって知覚できる。
【００３５】
図３は、蓋体１０の底面図であり、反転ディンプル３０は非アクティブの位置にある。
環状内側壁２２、外側壁２０及び頂壁２４は、蓋体１０の外縁に延在し、それらの間に溝部２８を形成する。図示のとおり、反転ディンプル３０の最頂部３２は、環状頂壁２４の表面から離れて、溝部２８内で下向きに突出している。
【００３６】
図４は、蓋体の別の実施形態の部分図であり、蓋体１０は容器４２に装着されている。この別の実施形態において、蓋体１０は、ディンプル３０、３１の両側に配置された押下部２６を含む。図４は、アクティブとなって飛び出した起立の状態にあるディンプル３１の両側に配置された押下部２６の一般的な位置を示す。押下部２６は刻み模様（etchings）として示されているが、押下部２６は、他の目印又はいずれかの触知可能な手段（tangible means）によって指示されてもよい。 
【００３７】
図５を参照すると、本発明の蓋体のさらに別の実施形態が示されている。本実施形態では、埋め込みのディンプル３３が複数の支持台５０の上部に個々に取付けられる。
【００３８】
ここで図５Ａを参照すると、支持台５０の上部に取り付けられた埋め込みのディンプル３３の拡大図が示されている。支持台５０は、複数のパネル５２を含むように示されている。パネル５２は、環状頂壁２４から上向きに突出して、ディンプル３０、３１を支持するピラミッド構造を形成する。埋め込みディンプル３３は、支持台５０の頂点５４に取り付けられる。
【００３９】
図５Ｂは、図５Ａの線５Ｂ−５Ｂに沿って切り取った本発明の蓋体１０の断面図であり、支持台５０に取付けられた埋め込みのディンプル３３を図示する。図示のとおり、支持台５０のパネル５２は、埋め込みのディンプル３３を受けるための支持台５０内の空洞５６を囲う。蓋体１０は、容器４２の縁４０と接触するように示されているが、埋め込みのディンプル３３が低い位置で表示されているとおり、しっかりとは装着されていない。
【００４０】
図５Ｃは、図５の５Ａ部分の部分図であり、図５Ａの埋め込みのディンプルが起立の位置３４で支持台５０に取付けられている。この構成では、蓋体１０は、埋め込みのディンプル３４が起立したもので表示されるとおり、容器の縁（図示しない）にしっかりと装着される。
【００４１】
図６は、蓋体１０の側面図であり、非アクティブのディンプル３０は反転位置にある。図示のように、ディンプル３０は、蓋体１０を側面方向から観たとき、目視できない。
【００４２】
図６Ａは、図６の６Ａ部分の拡大図であり、蓋体１０の反転ディンプル３０が容器４２の縁４０に接触していることを図示する。ディンプル３０の最頂部３２は、容器４２の縁４０と連接中である。反転ディンプル３０の状態で図示されるように、蓋体１０は容器の縁４０にしっかりとは装着されていない。
【００４３】
図７を参照すると、蓋体１０の側面図が示されており、ディンプル３１はアクティブとなって飛び出した起立の位置にある。図示のように、起立したディンプル３１は、視覚的に知覚可能である。起立したディンプル３１は、環状頂壁２４の表面をなぞることによって知覚することもできる。 
【００４４】
図７Ａを参照すると、図７の７Ａの断面拡大図が示されている。蓋体１０が容器４２の縁４０にしっかりと装着されるとき、ディンプル３１がアクティブとなって飛び出した起立の位置になることを図示している。図示のとおり、ディンプル３１の最頂部３２は、蓋体１０が容器４２の縁４０にしっかりと装着されるとき、もはや縁４０と連接せず、環状頂壁２４の表面を越えて外向きに突出する。
【００４５】
このように、本開示の新規の基本的な特徴が各種の具体的な実施形態に適用できるものとして示され、記載され、指摘されたが、例示された形態及び装置において、及びそれらの操作において、各種の詳細、置換、変更が、本開示の要旨から逸脱することなく当業者によってなしうる。例えば、実質的に同様の機能、実質的に同様の方法を実行して同様の成果を実現する各構成及び／又は方法の手順のいずれの組合せについても本発明の範囲内のものとして明確に意図している。さらに、本発明の開示された態様又は実施形態のいずれかに関連して示された及び／又は記載された構造及び／又は構成及び／又は方法の手順についても、開示された又は記載された又は示唆された他の態様又は実施形態のいずれかにおいて、一般的な設定上の選択として組み込むことが可能であると理解すべきである。
したがって、添付の特許請求の範囲に示される限りにおいて制限されることを意図するものである。
【符号の説明】
【００４６】
１０  蓋体
１２  蓋部
１４  円周リム
２０  外側壁
２２  内側壁
２４  頂壁
３０  反転ディンプル
【図１】
0005777803.tif 000002
【図２】
0005777803.tif 000003
【図３】
0005777803.tif 000004
【図４】
0005777803.tif 000005
【図５】
0005777803.tif 000006
【図５Ａ】
0005777803.tif 000007
【図５Ｂ】
0005777803.tif 000008
【図５Ｃ】
0005777803.tif 000009
【図６】
0005777803.tif 000010
【図６Ａ】
0005777803.tif 000011
【図７】
0005777803.tif 000012
【図７Ａ】
0005777803.tif 000013